(57)【要約】【課題】  スマートフォンを充電することができる端子装置を提供する。【解決手段】  第１端子及び前記第１端子に電気的に連結された第２端子が設置された基板；を含み、前記第１端子は互いに接触する第１外部端子と第２外部端子の間に挟支され、前記第１外部端子または前記第２外部端子に電気的に連結される。【選択図】  図１
2016509742.tif 000002
【特許請求の範囲】
【請求項１】
第１端子及び前記第１端子に電気的に連結された第２端子が設置された基板；を含み、
前記第１端子は互いに接触する第１外部端子と第２外部端子の間に挟支され、前記第１外部端子または前記第２外部端子に電気的に連結されることを特徴とする、端子装置。
【請求項２】
前記基板はフレキシブル材のフィルム型基板または非伝導性プレートからなり、
前記第１端子は前記基板の端部に設けられるとか前記基板の両面に設けられることを特徴とする、請求項１に記載の端子装置。
【請求項３】
前記第１外部端子はバッテリーによって駆動されるマルチメディア器機に設けられ、
前記第２外部端子は前記バッテリーに設けられ、
前記基板は前記マルチメディア器機または前記バッテリーに付着されることを特徴とする、請求項１に記載の端子装置。
【請求項４】
前記第１外部端子はバッテリーによって駆動されるマルチメディア器機に設けられ、
前記第２外部端子は前記バッテリーに設けられ、
前記マルチメディア器機には前記バッテリーを覆うバックカバーが設けられ、
前記第２端子は前記バックカバーに設けられたカバー端子に接触することを特徴とする、請求項１に記載の端子装置。
【請求項５】
前記第１端子による前記第１外部端子と前記第２外部端子間の接触不良を防止するガイド部；を含み、
前記ガイド部は前記第２端子の設置位置をガイドし、
前記第２端子の設置位置がガイドされれば、前記基板によって前記第１端子の挟支位置が決定されることを特徴とする、請求項１に記載の端子装置。
【請求項６】
前記第１外部端子はマルチメディア器機に設けられ、
前記第２端子は前記マルチメディア器機に固定され、
前記マルチメディア器機において前記第２端子の固定位置をガイドする第１ガイド；を含み、
前記第１ガイドは前記基板から前記マルチメディア器機の識別線まで拡張される拡張部を含むことを特徴とする、請求項１に記載の端子装置。
【請求項７】
前記第１外部端子はバッテリーによって駆動されるマルチメディア器機に設けられ、
前記第２外部端子は前記バッテリーに設けられ、
前記マルチメディア器機において前記第１端子の挟支位置をガイドする第２ガイド；を含み、
前記第２ガイドは前記第１外部端子または前記第２外部端子に挟支されることを特徴とする、請求項１に記載の端子装置。
【請求項８】
前記第１外部端子はバッテリーによって駆動されるマルチメディア器機に設けられ、
前記第１外部端子には、前記マルチメディア器機胴体から突出して前記第２外部端子に接触する接触ピンが設けられ、
前記基板は前記マルチメディア器機に付着され、
前記基板の付着面には前記接触ピンに嵌合される第２ガイドが付着され、
前記第２ガイドは、前記基板が前記マルチメディア器機に付着された後、前記基板から除去されることを特徴とする、請求項１に記載の端子装置。
【請求項９】
前記第１外部端子はバッテリーによって駆動されるマルチメディア器機に設けられ、
前記第１外部端子には、前記マルチメディア器機胴体から突出して前記第２外部端子に接触する複数の接触ピンが設けられ、
前記基板には前記複数の接触ピンの中で少なくとも一部に嵌合されるガイド孔が設けられることを特徴とする、請求項１に記載の端子装置。
【請求項１０】
前記第１外部端子には電力端子が含む複数の端子が設けられ、
前記基板は前記第１外部端子と前記第２外部端子の間に挟支される挟支部を含み、
前記挟支部には、前記電力端子を除いた残りの端子の中で少なくとも一つに嵌合されるガイド孔及び前記電力端子に接触する前記第１端子が設けられることを特徴とする、請求項１に記載の端子装置。
【請求項１１】
前記第１外部端子はマルチメディア器機に形成されたバッテリー収容凹部の側壁に設けられ、
前記基板は前記第１外部端子と前記第２外部端子の間に挟支される挟支部を含み、
前記挟支部は前記側壁の角部または底部まで伸び、
前記挟支部を前記側壁の角部または底部に密着させれば前記挟支部の挟支位置が整列されることを特徴とする、請求項１に記載の端子装置。
【請求項１２】
前記第１端子１１０と前記第２端子１２０は電気的に連結され、前記基板１３０の一側及び他側にそれぞれ位置し、
前記基板１３０は非伝導性フィルムからなり、
前記基板１３０はマルチメディア器機を駆動するバッテリー２０の側部を取り囲むとか前記バッテリー２０の少なくとも一部に結合され、
前記基板１３０の厚さはマルチメディア器機に形成されたバッテリー収容凹部１９とこれに設置されるバッテリー２０間の隙間と実質的に同一であるかあるいは０．３ｍｍより小さいことを特徴とする、請求項１に記載の端子装置。
【発明の詳細な説明】
【技術分野】
【０００１】
本発明は携帯用マルチメディア器機を充電することができる端子装置に関する。
【背景技術】
【０００２】
スマートフォンの普及が活発になるにつれて多様なスマートフォン周辺装置が提供されている。以下、スマートフォンはすべての種類の携帯用マルチメディア器機を通称する用語として使われる。一部の周辺装置はスマートフォンまたはバッテリーとの電気的連結が必要である。このために、スマートフォンから提供する端子を用いるのに多様な制約が発生する。
【０００３】
特許文献１には、スマートフォンを急速に充電する技術が開示されているが、スマートフォンから提供する端子をそのまま用いている。
【先行技術文献】
【特許文献】
【０００４】
【特許文献１】大韓民国特許公開第１０−２０１３−０１０７４２６明細書
【発明の概要】
【発明が解決しようとする課題】
【０００５】
本発明が解決しようとする課題はスマートフォンを充電することができる端子を提供することである。
【０００６】
本発明が解決しようとする技術的課題は以上に言及した技術的課題に制限されなく、言及しなかった他の技術的課題は下記の開示から本発明が属する技術分野で通常の知識を持った者によって明確に理解可能であろう。
【課題を解決するための手段】
【０００７】
本発明の端子装置は、第１端子及び前記第１端子に電気的に連結された第２端子が設置された基板；を含み、前記第１端子は互いに接触する第１外部端子と第２外部端子の間に挟支され、前記第１外部端子または前記第２外部端子に電気的に連結される。
【発明の効果】
【０００８】
本発明の端子装置は互いに接触する二つの外部端子の間に挟支される第１端子及びこの第１端子に電気的に連結される第２端子を含み、充電用に使用可能な端子がない状態でも別途の端子（第２端子）をさらに確保することができる。これによれば、互いに接触する二つの外部端子を持つスマートフォンなどの各種マルチメディア器機に追加の端子を形成することができる。この際、追加の端子は携帯用マルチメディア器機と外部バッテリーの連結、携帯用マルチメディア器機と外部通信装置の連結などの多様な分野に使用可能である。
【図面の簡単な説明】
【０００９】
【図１】本発明の端子装置を示した概略図である。
【図２】本発明の端子装置を示した断面図である。
【図３】本発明の端子装置を示した断面図である。
【図４】本発明の端子装置が設置されたマルチメディア器機を示した概略図である。
【図５】ガイド部が設けられた端子装置を示した概略図である。
【図６】他のガイド部が設けられた端子装置を示した概略図である。
【図７】第２ガイドの付着面を示した概略図である。
【図８】本発明の他の端子装置を示した概略図である。
【図９】本発明のさらに他の実施例を示す概略図である。
【図１０】本発明のさらに他の実施例を示す概略図である。
【発明を実施するための形態】
【００１０】
以下、添付図面に基づいて本発明の実施例を詳細に説明する。本発明の説明において、図面に示した構成要素の大きさや形状などは説明の明瞭性及び便宜のために誇張して示されることができる。
また、本発明の構成及び作用を考慮して特別に定義された用語は使用者や運用者の意図または慣例によって変わることができる。このような用語に対する定義はこの明細書の全般にわたる内容に基づいて下さらなければならない。
【００１１】
図１は本発明の端子装置を示した概略図である。図１に示した端子装置は、第１端子１１０及び第２端子１２０が設置された基板１３０を含むことができる。
【００１２】
第１端子１１０は互いに接触する第１外部端子１１と第２外部端子２１の間に挟支されることができる。
【００１３】
スマートフォンのように携帯性を持つマルチメディア器機１０はマルチメディア器機１０に装着されるバッテリー２０によって駆動される。バッテリー２０と通信してバッテリー２０の電力を受けるために、マルチメディア器機１０には電源入出力端子として第１外部端子１１が設けられる。これに対応し、バッテリー２０には電源入出力端子として第２外部端子２１が設けられる。第１外部端子１１と第２外部端子２１は互いに対応する構造に形成でき、両者間の接触によって第１外部端子１１と第２端子１２０は互いに電気的に連結される。従来の場合、第１外部端子１１と第２外部端子２１が接触すれば、他の器機を第１外部端子１１または第２外部端子２１に連結することがほとんど不可能である。
【００１４】
しかし、本発明においては、第１外部端子１１と第２外部端子２１の間に第１端子１１０が挟支される。第１端子１１０によれば、第１外部端子１１及び第２外部端子２１の中で少なくとも一つを他の器機に電気的に連結させることができる。
【００１５】
マルチメディア器機１０にバッテリー２０を装着した状態で、第１外部端子１１と第２外部端子２１間の間隔は非常に狭いことができる。バッテリー２０の装着を制限しないながらも第１外部端子１１と第２外部端子２１の間に第１端子１１０を挿入することができなければならない。よって、第１端子１１０は薄膜状のものが良い。このために、第１端子１１０はフィルム型端子あるいは非伝導性プレートに形成された伝導性パターンであることができる。そして、第１端子１１０の介入の際、第１外部端子１１と第２外部端子２１間の電気的連結が断絶されればマルチメディア器機に電源を供給することができないので、第１端子１１０は第１外部端子１１及び第２外部端子２１に電気的に連結されなければならない。一例として、第１端子１１０は非伝導性プレートに形成された伝導性パターンまたは電気伝導性材の長形板であることができ、一面は第１外部端子１１に接触し、他面は第２外部端子２１に接触することができる。
【００１６】
第１端子１１０は第１外部端子１１と第２外部端子２１の間に挟支されるので、第１端子１１０には外部の他の器機の端子が直接連結されることが難しい。よって、第１端子１１０から離隔した位置に第２端子１２０が設けられることができる。第２端子１２０は第１端子１１０に電気的に連結されることができる。そして、第２端子１２０は外部の他の器機の端子に電気的に連結されることができる。外部の他の器機の例を挙げれば、図４のように、マルチメディア器機１０に着脱可能にバッテリー２０を覆うバックカバー１２が設けられることができる。
【００１７】
図４は本発明の端子装置が設置されたマルチメディア器機１０を示した概略図である。
【００１８】
第２端子１２０はバックカバー１２に設けられたカバー端子１３に接触することができる。バックカバー１２には太陽光によって発電するソーラーセル、補助バッテリー、付加の通信装置などが設けられることができ、バックカバー１２に設けられた該当の装置はカバー端子１３及び第２端子１２０を介してバッテリー２０またはマルチメディア器機１０に電気的に連結できる。
【００１９】
第１端子１１０と第２端子１２０は互いに離隔することができ、これにより第１端子１１０と第２端子１２０を電気的に連結する連結パターン１３１が設けられることができる。この際、連結パターン１３１は第１端子１１０と第２端子１２０を連結する基板１３０に設置されることができる。基板１３０は、第１端子１１０または第２端子１２０のショート防止のために、非伝導性プレートまたはフレキシブル基板（ＦＰＣ：Ｆｌｅｘｉｂｌｅ  Ｐｒｉｎｔｅｄ  Ｃｉｒｃｕｉｔ、ＦＦＣ：Ｆｌｅｘｉｂｌｅ  Ｆｌａｔ  ｃａｂｌｅ）であることができる。基板１３０に第１端子１１０、第２端子１２０、及び連結パターン１３１が形成されるので、使用者は基板１３０を保管または運搬することによって本発明の端子装置全体をマルチメディア器機１０に着脱することができる。よって、基板１３０によれば、本発明の端子装置の着脱性が向上することができる。よって、既に使用しているマルチメディア器機１０に後に本発明の端子装置を適用することができる。
【００２０】
また、基板１３０は連結パターン１３１に比べて高い剛性を持つことができる。よって、第１端子１１０と第２端子１２０のいずれか一方の位置が決定されれば、基板１３０によって第１端子１１０と第２端子１２０の中で他方の位置がガイドできる。例えば、第１端子１１０が第１外部端子１１に固定されれば、第２端子１２０はカバー端子１３に対向する定位置に自然に案内できる。同様に、第２端子１２０がカバー端子１３に対向する位置に固定されれば、第１端子１１０は第１端子１１０に対向する定位置に一緒に整列できる。このために、第１外部端子１１とカバー端子１３の接触位置を考慮して基板１３０の形状及びサイズを設定することが良い。
【００２１】
基板１３０によれば、いずれか一端子だけ初期設計位置に配置されれば、他の端子も自然に初期設計位置に配置されるので、位置整列の便宜性が向上することができる。これに加え、基板１３０がフレキシブル材のフィルム型基板であれば設置便宜性が一層向上することができる。第１端子は基板の端部あるいは基板の両面に設けられることができる。そして、基板はマルチメディア器機またはバッテリーに付着できる。
【００２２】
基板１３０は板状であることができる。板状の基板１３０がｘｙ平面に置かれ、一端子がｘｙ平面に置かれれば、他の端子はｘ軸自由度及びｙ軸自由度がほとんどない。しかし、基板１３０がフレキシブル材からなる場合、他の端子はｚ軸自由度を持つことができる。よって、基板１３０の一端から他端まで次第にマルチメディア器機１０に接触させることができ、これを用いれば、両面テープなどでマルチメディア器機１０に基板１３０を容易に付着させることができる。
【００２３】
一方、既に接触した状態の第１外部端子１１と第２外部端子２１の間に第１端子１１０を差し込むことが難しいことができる。したがって、第１外部端子１１と第２外部端子２１の接触の前に第１外部端子１１上に第１端子１１０の一面を位置させることが良いことができる。この状態で、第１外部端子１１と接触しようとする第２外部端子２１は自然に第１端子１１０の他面に接触することができる。第１端子１１０は第１外部端子１１と第２外部端子２１の間に着脱され、第２端子１２０は第１外部端子１１が設けられたマルチメディア器機１０に固定できる。
【００２４】
図２及び図３は本発明の端子装置を示した断面図である。図２には第１端子１１０が第１外部端子１１と第２外部端子２１の間に差し込まれた状態（装着状態）が示され、図３には第１端子１１０が第１外部端子１１と第２外部端子２１の間から外れた状態（離脱状態）が示されている。
【００２５】
第１端子１１０の着脱のために、基板１３０は第１端子１１０から第２端子１２０までの設定位置Ｐで折り曲げられるように形成できる。第２端子１２０がマルチメディア器機１０に固定された状態であれば、設定位置Ｐを軸として第１端子１１０が回動する。よって、第１端子１１０が第１外部端子１１に接触するように基板１３０を回動させれば、図２のように、第１外部端子１１と第２外部端子２１の間に第１端子１１０が位置する状態となる。第１端子１１０が第１外部端子１１から遠くなる方向に基板１３０を回動させれば、図３のように、第１端子１１０は第１外部端子１１と第２外部端子２１の間に位置しなくなる。よって、回動中心となる設定位置Ｐが決定されれば、使用者の選択によって第１端子１１０の適用有無を決定することができる。
【００２６】
基板１３０において、設定位置Ｐから第２端子１２０までの区間及び第２端子１２０は第１外部端子１１が設けられたマルチメディア器機１０に固定できる。基板１３０または第２端子１２０とマルチメディア器機１０の固定には接着剤または両面テープを用いることができる。そして、設定位置Ｐはマルチメディア器機１０に設けられたバッテリー２０の収容空間１９の端部または底部に設けられることが良い。これによれば、設定位置Ｐを中心とした回動がマルチメディア器機１０によって干渉される現象を防止することができる。
【００２７】
本発明の端子装置によれば、現在活用中の外部端子に連結可能な第２端子１２０がさらに提供される。本発明の端子装置は、スマートフォンなどのマルチメディア器機１０はもちろんのこと、第１端子１１０が挟支可能な程度の端子を持つ多様な外部器機に適用できる。一方、本発明の端子装置には、設置の便宜さ、マルチメディア器機１０の保護、外部器機との信頼性ある連結のために、ガイド手段が設けられることができる。マルチメディア器機１０に形成された外部端子として複数の接触ピンが設けられることができる。例えば、図５には第１外部端子１１として四つの接触ピンが設けられている。それぞれの接触ピンは互いに異なる情報を伝達する電気的通路となることができる。
【００２８】
一例として、四つの接触ピンはそれぞれ（＋）電源端子、（−）電源端子、データの通路となる端子、何らの機能も遂行しないｎｕｌｌ端子であることができる。この場合、それぞれの接触ピンが互いにショートするとか他の通路に連結されれば、マルチメディア器機１０やバッテリー２０の誤動作のおそれがある。または、第２端子１２０に連結される外部の他の器機が誤動作することができる。このような問題は第１端子の挿入による第１外部端子と第２外部端子の接触不良によって発生することができる。これを防止するためには、第１端子１１０が正確に第１外部端子１１と第２外部端子２１の間に整列されなければならない。すなわち、第１端子１１０がマルチメディア器機１０に形成された接触ピンに正確に接触するように、本発明の端子装置をマルチメディア器機１０の定位置に丁寧に付着しなければならない。すなわち、正確な付着及び容易な付着が必要である。
【００２９】
このための一実施例として、ガイド部が設けられ、ガイド部は正確な位置に第１端子１１０が容易に位置するようにする。ガイド部は第１端子１１０または第２端子１２０の位置をガイドすることができる。
【００３０】
図５はガイド部が設けられた端子装置を示した概略図である。図５に示した端子装置は、第１端子１１０による第１外部端子１１と第２外部端子２１の接触不良を防止するガイド部を含むことができる。ガイド部は第２端子１２０の設置位置をガイドすることができる。第２端子１２０の設置位置がガイドされれば、基板１３０によって第１端子１１０の挟支位置が決定できる。
【００３１】
ガイド部は、マルチメディア器機１０において第２端子１２０の固定位置をガイドする第１ガイドを含むことができる。第１ガイドは、基板１３０からマルチメディア器機１０の識別線１７まで拡張する拡張部１７０を含むことができる。この際、拡張部１７０は第２端子１２０または第２端子１２０が設けられた基板１３０に一体に形成できる。識別線１７は、マルチメディア器機１０において第２端子１２０が固定される面に形成された線、突起、溝、枠など、使用者が識別可能な線または事物であることができる。図５には、識別線１７として、第２端子１２０が固定される面に‘Ｌ’字形に形成された線１７が用いられている。拡張部１７０は識別線１７‘Ｌ’に対応する形状を持つことができる。これによれば、使用者は拡張部１７０が識別線１７の‘Ｌ’字形に整列されるようにし、第２端子１２０をマルチメディア器機１０に付けることによって正確に第２端子１２０を設置することができる。すなわち、拡張部１７０はマルチメディア器機１０に設けられた識別線１７によって第２端子１２０を整列させることができる。
【００３２】
他の例として、識別子として第２端子１２０が固定される面から突出したカメラモジュール１８が示されている。拡張部１７０にはカメラモジュール１８に挿入される識別部１７１が設けられることができる。この際、識別部１７１はカメラモジュール１８が挿入される凹部またはホールであることができる。これによれば、使用者は識別部１７１がカメラモジュール１８に嵌合された状態でマルチメディア器機１０に第２端子１２０を付けることで正確に第２端子１２０を設置することができる。以上の第１ガイドによれば、端子装置を簡便でありながらも正確に整列してマルチメディア器機１０に付着させることができる。
【００３３】
図６は他のガイド部が設けられた端子装置を示した概略図である。図６のガイド部は、マルチメディア器機において第１端子の挟支位置をガイドする第２ガイド１５０を含むことができる。第２ガイド１５０には、第１外部端子１１または第２外部端子１２に嵌合される嵌合部１５１が設けられることができる。嵌合部１５１は第１外部端子１１をなす接触ピンのサイズ及び間隔に相応するように形成された溝またはホールであることができる。第２ガイド１５０は第１端子１１０または基板１３０に付着され、挟支位置をガイドした後には、第１端子１１０または基板１３０から除去できる。
【００３４】
第２ガイド１５０は全体的に基板１３０の背面に貼り合わせられている板状の背面シートであることができる。背面シートは本発明の端子装置がマルチメディア器機に装着される位置を案内し、端子装置の背面シートは基板１３０から第１端子１１０の位置まで伸びることができる。背面シートにおいて第１端子１１０に対向する部位には嵌合部１５１が形成できる。これによれば、第１端子１１０から分離される背面シートの嵌合部１５１を第１外部端子１１に嵌合させることができる。
【００３５】
第１外部端子１１と第２外部端子２１の信頼性ある接触のために、第１外部端子１１は接触ピンのような突出状の弾性体を持つことができる。この際、接触ピンはマルチメディア器機の胴体から突出して第２外部端子に接触することができる。マルチメディア器機の胴体から突出した接触ピンは嵌合部１５１に容易に嵌合できる。嵌合部１５１に接触ピンが嵌合された状態で、第１端子１１０から第２端子１２０側に基板１３０を引っ張り、第１外部端子１１が設けられたマルチメディア器機１０に基板１３０を付着させることができる。そして、背面シートルを基板１３０から除去することができる。背面シートジが除去されれば、第１端子１１０は第１外部端子１１の位置に整列できる。
【００３６】
言い換えれば、基板１３０はマルチメディア器機に付着でき、基板１３０の付着面には接触ピンに嵌合される第２ガイド１５０が付着できる。この際、第２ガイド１５０は、基板１３０がマルチメディア器機１０に付着された後、基板１３０から除去できる。第２ガイド１５０の信頼性ある機能のために、基板の付着面は図７のようである。
【００３７】
図７は第２ガイド１５０の付着面を示した概略図である。
【００３８】
詳述すれば、マルチメディア器機１０に付着される基板１３０の付着面において第１端子１１０側に第２ガイド１５０が付着され、第２端子１２０側に接着剤１３３が塗布できる。このような構成によれば、第２ガイド１５０の嵌合部１５１を第１外部端子１１０に嵌合した状態で、基板１３０をマルチメディア器機１０に付着させることができる。そして、基板１３０がマルチメディア器機に付着された後、基板１３０から第２ガイド１５０を除去すれば良い。
【００３９】
一方、背面シートの端部にはバッテリー２０の収容空間１９の端部壁にかかるストッパーが設けられることができる。この際、ストッパーは、基板１３０が第１方向に伸びるとき、収容空間１９の端部壁にかかるように収容空間１９の底面に向かう第２方向に伸びることができる。ストッパーは前述した設定位置Ｐに設けられることができる。この場合、ストッパーが収容空間１９の端部壁にかかるまで引っぱれば、第１端子は第１方向への適正位置に位置することになる。そして、ストッパーにおいて第１外部端子１１に対向する面にホールまたは溝が形成されればストッパーの左右位置を適切に維持することができ、これにより第１端子１１０も第１外部端子上に正しく位置することになる。
【００４０】
図８は本発明の他の端子装置を示した概略図である。
【００４１】
第１外部端子１１には、マルチメディア器機胴体から突出し、第２外部端子１２に接触する接触ピンが複数設けられることができる。
【００４２】
この際、基板１３０には複数の接触ピンの一部に嵌合されるガイド孔１３５が設けられることができる。例えば、第１端子１１０にソーラーパネルまたは補助バッテリーが連結される場合、データ通路となる接触ピンは用いる必要がない。これとは反対に、第１端子１１０を介してマルチメディア器機１０と通信する手段が設けられた場合、電力端子となる接触ピンを用いる必要がない。
【００４３】
基板１３０には第１外部端子１１と第２外部端子１２の間に挟支される挟支部１３９が設けられることができる。電力端子となる接触ピンのみ用いる場合、挟支部１３９には電力端子を除いた残りの端子の中で少なくとも一つに嵌合されるガイド孔１３５が設けられることができる。そして、挟支部１３９には、電力端子に接触する第１端子１１０も設けられることができる。
【００４４】
図８に示したように、第１外部端子１１として接触ピン（１）、（２）、（３）、（４）がマルチメディア器機に形成されている。このうち、接触ピン（１）及び（３）が電力端子の場合、挟支部１３９においてガイド孔１３５は電力端子に関係ない接触ピン（２）及び（４）に対応する位置に設けられることができる。そして、挟支部１３９において接触ピン（１）及び（３）に対応する位置に第１端子１１０が形成できる。
【００４５】
これによれば、接触ピン（２）及び（４）がガイド孔１３５に挿入されるように基板１３０をマルチメディア器機１０に付着すれば、自然に接触ピン（１）及び（３）は第１端子１１０に接触することができる。そして、前述した別途の背面シートを用いなくて基板１３０に第２ガイド１５０を形成することができる。第１外部端子１１はマルチメディア器機１０に形成された収容空間１９、つまりバッテリー収容凹部の側壁に設けられることができる。この際、挟支部１３９は側壁の角部（ａ）まで伸びることができる。
【００４６】
挟支部１３９に端部（ａ）まで伸びる延長部１３７が形成されれば、延長部１３７を側壁の角部に密着させて設置することによって挟支部１３９の挟支位置が整列できる。挟支部１３９に第１端子１１０が設けられれば、挟支部１３９の整列によって第１端子１１０も自然に第１外部端子１１に整列できる。
【００４７】
図９及び図１０は本発明のさらに他の実施例を示す図である。第１外部端子１１と第２外部端子の間に挟支される第１端子１１０を備え、カバー端子１３に連結される第２端子１２０を備えている。
【００４８】
第１端子１１０と第２端子１２０は電気的に連結され、基板１３０の一側及び他側にそれぞれ位置する。基板１３０は非伝導性フィルムからなり、バッテリー２０の少なくとも一部に結合される形状である。
【００４９】
基板１３０の厚さはマルチメディア器機に形成されたバッテリー収容凹部１９とこれに設置されるバッテリー２０間の隙間と実質的に同一であるかあるいは０．３ｍｍより小さいことが好ましい。このように薄い基板１３０に形成される伝導性パターンである第１端子１１０または第２端子１２０が基板１３０から分離されないように、基板１３０が十分な面積を有することが好ましく、基板１３０の形状がバッテリー２０の側部を取り囲むとかバッテリー２０の少なくとも一部に結合されることが好ましい。
【００５０】
以上、本発明による実施例らを説明したが、これは例示のためのものに過ぎず、当該分野で通常の知識を持った者であれば、これから多様な変形及び均等な範囲の実施例が可能であることが理解可能であろう。よって、本発明の真正な技術的保護範囲は次の特許請求範囲によって決定されなければならない。
【産業上の利用可能性】
【００５１】
本発明の端子装置は互いに接触する二つの外部端子の間に挟支される第１端子及びこの第１端子に電気的に連結される第２端子を含み、充電用に使用可能な端子がない状態でも別途の端子（第２端子）をさらに確保することができ、これによれば、互いに接触する二つの外部端子を持つスマートフォンなどの各種マルチメディア器機に追加の端子を形成することができ、この際、追加の端子は携帯用マルチメディア器機と外部バッテリーの連結、携帯用マルチメディア器機と外部通信装置の連結などの多様な分野に使用可能である点において、本発明は産業上の利用可能性がある。
【符号の説明】
【００５２】
１０    マルチメディア器機
１１    第１外部端子
１２    バックカバー
１３    カバー端子
１７    識別線
１８    カメラモジュール
１９    収容空間
２０    バッテリー
２１    第２外部端子
１１０    第１端子
１２０    第２端子
１３０    基板
１３１    連結パターン
１３３    接着剤
１３５    ガイド孔
１３７    延長部
１３９    挟支部
１５０    第１ガイド
１５１    嵌合部
１７０    拡張部
１７１    識別部
２１０    収容部
３１０    バッテリー部
【図１】
2016509742.tif 000003
【図２】
2016509742.tif 000004
【図３】
2016509742.tif 000005
【図４】
2016509742.tif 000006
【図５】
2016509742.tif 000007
【図６】
2016509742.tif 000008
【図７】
2016509742.tif 000009
【図８】
2016509742.tif 000010
【図９】
2016509742.tif 000011
【図１０】
2016509742.tif 000012
【国際調査報告】
2016509742.tif 000013
2016509742.tif 000014